(57)【特許請求の範囲】
【請求項１】
容器本体と、当該容器本体の口金部に気密に取り付けられ、当該容器本体内部に収容された液状の内容物を放出させるためのポンプ機構を有するキャップとを具えるポンプ付き容器において、前記キャップに着脱可能に嵌合させて前記ポンプ機構の動作を禁止するストッパーであって、
前記キャップと嵌合する、互いに対向させて配置した第一および第二の略円弧型の嵌合部と、前記第一および第二の嵌合部のそれぞれの一端と一体に接続する略π字型のつまみ部とを具えることを特徴とする、ポンプ付き容器用ストッパー。
【請求項２】
前記第一および第二の嵌合部のそれぞれの周方向長さが、円周の1/4〜1/2であることを特徴とする、請求項１記載のポンプ付き容器用ストッパー。
【発明の詳細な説明】
【０００１】
【発明の属する技術分野】
本発明は、容器内に収納したシャンプーなどの種々の液状物を放出させる、ポンプ機構を有するキャップを装着したポンプ付き容器において、前記キャップに嵌合させることによりポンプ機構の動作を禁止するストッパーに関するものである。
【０００２】
【従来の技術】
図１は、係るストッパーの一例を示すものであり、図１(a)は平面図、図１(b)は斜視図である。図示のストッパー１は、略Ｃ字型の嵌合部２および、これと一体となって接続した略Ｔ字型のつまみ３からなる。
【０００３】
図２は、図１のストッパー１をポンプ付き容器に装着した状態を示すものであり、図２(a)は上面図、図２(b)は断面図である。ポンプ付き容器10は、容器本体11とポンプ付きキャップ12とを具える。ポンプ付きキャップ12は、キャップ部13とポンプ部14とを具え、キャップ部13は容器本体11の口金部15に設けたねじ山16にねじ止めされて、容器本体11に気密に固定される。ポンプ部14はシリンダ部17とピストン頭部18とを具え、ピストン頭部18からは吐出管19が延在している。吐出管19は、容器本体11内の内容物を排出させるために、シリンダ部17内部の図示しない流路と連通している。本ポンプ付き容器10の使用に際し、使用者がピストン頭部18を押し下げると、シリンダ部17内の図示しない機構によって容器本体11内の液状の内容物（シャンプー、乳液等）が吸い上げられ、シリンダ部17内部の流路を経て吐出管19より排出される。
【０００４】
ここで、ストッパー１は、その嵌合部12がキャップ部13の上方に突出した円筒部13aと嵌合しており、またストッパー１の上面がピストン頭部18の下端に当接している。そのためピストン頭部18を押し下げることができなくなっている。このようにすることによって、輸送時や非使用時等において、不用意にピストン頭部18が押し下げられて容器10内の内容物が排出されてしまうのを防ぐことができる。
【０００５】
ストッパー１を容器10に着脱する際には、つまみ３を指でつまみ、嵌合部２を円筒部13aへ押し込む、あるいは引き抜くようにして行う。
【０００６】
こうしたストッパーには、確実に容器に固定されると共に、比較的容易に着脱ができることが要求される。しかしながら、前述したような従来のストッパー１の場合、例えば使用者が濡れた指で着脱しようとした時に、指が滑ってつまみ３を確実につまむことが難しく、また着脱にある程度の力を要する、と言った問題がある。
【０００７】
【発明が解決しようとする課題】
本発明の目的は、上述した問題点を解決し、容器に確実に固定することができ、また着脱も容易なポンプ付き容器用ストッパーを提案するものである。
【０００８】
【課題を解決するための手段】
本発明は、容器本体と、当該容器本体の口金部に気密に取り付けられ、当該容器本体内部に収容された液状の内容物を放出させるためのポンプ機構を有するキャップとを具えるポンプ付き容器において、前記キャップに着脱可能に嵌合させて前記ポンプ機構の動作を禁止するストッパーであって、前記キャップと嵌合する、互いに対向させて配置した第一および第二の略円弧型の嵌合部と、前記第一および第二の嵌合部のそれぞれの一端と一体に接続する略π字型のつまみ部とを具えることを特徴とする、ポンプ付き容器用ストッパーに関するものである。
【０００９】
本発明によるポンプ付き容器用ストッパーは、キャップと嵌合する部分を二つの略円弧型部とし、これら嵌合部それぞれの一端が略π字型のつまみ部と一体となって接続した構造を有している。そのため、使用者がつまみ部をつまんだ際には、ストッパーの嵌合部がわずかに外側に広がるように変形するので、着脱が容易に行うことができる。また、装着後につまみ部から指を離せば嵌合部は元の形状に復帰するため、キャップに確実に固定されることとなる。このように、ストッパーを弾性変形し易い構造としたことにより、キャップへの確実な固定ができると共に、着脱の容易さをも実現している。
【００１０】
本発明によるポンプ付き容器用ストッパーの好適な実施形態においては、前記第一および第二の嵌合部のそれぞれの周方向長さを円周の1/4〜1/2としても良い。嵌合部の周方向長さをこのように設定することにより、キャップへの固定が保証される。
【００１１】
【発明の実施の形態】
以下、図面を参照して本発明の好適な実施形態について説明する。
【００１２】
図３は、本発明によるストッパーの一実施形態を示すものであり、図３(a)は平面図、図３(b)は斜視図である。図示のストッパー21は、略円弧型の嵌合部22，23および、これらと一体となって接続した、略π字型のつまみ24からなる。すなわち、つまみ24のπ字の足に相当する部分24a，24bが、それぞれ嵌合部22，23と接続した形状となっている。なお、図示のように嵌合部22，23は、後述するように容器との嵌合をなすために、それぞれの凹面同士が向かい合うように配置されている。
【００１３】
ストッパー21の各嵌合部22，23の周方向長さは、円周全体の1/4〜1/2程度とし、例えば図３のストッパー21では約3/8（角度にして約135°）としている。この範囲に設定することにより、ストッパーの容器への固定を確実にし、かつ着脱をも容易にしている。
【００１４】
図４は、図３のストッパー21をポンプ付き容器に装着した状態を示すものであり、図４(a)は上面図、図４(b)は断面図である。ポンプ付き容器30は、容器本体31とポンプ付きキャップ32とを具える。ポンプ付きキャップ32は、キャップ部33とポンプ部34とを具え、キャップ部32は容器本体31の口金部35に設けたねじ山36にねじ止めされて、容器本体31に気密に固定される。ポンプ部34はシリンダ部37とピストン頭部38とを具え、ピストン頭部38からは吐出管39が延在している。吐出管39は、容器本体31内の内容物を排出させるために、シリンダ部37内部の図示しない流路と連通している。なお、この容器30は前述した図２に示す容器10と同じものであるため、その動作については説明を省略する。
【００１５】
ストッパー21は、その嵌合部22，23がキャップ部33の上方に突出した円筒部33aと嵌合しており、ストッパー21の上面がピストン頭部38の下端に当接している。そのためピストン頭部38を押し下げることができなくなっている。このようにすることによって、輸送時や非使用時等において、不用意にピストン頭部38が押し下げられて容器30内の内容物が排出されてしまうのを防ぐことができる。
【００１６】
ストッパー21の容器30への装着は、以下のようにして行う。まず、使用者は、ストッパー21のつまみ24の、π字の足に相当する部分24a，24b（図３参照）を指でつまむ。すると、つまみ24の部分24a，24bがわずかに撓み、それに伴って嵌合部22，23がそれぞれ外側に開くようにわずかに変形する。その状態で容器30のキャップ33の円筒部33aとストッパー21の嵌合部22，23と嵌合させる。その後つまみ24から指を離すと嵌合部22，23が元の状態に復帰して円筒部33aと完全に嵌合し、その結果ストッパー21はキャップ33に固定された状態となる。
【００１７】
逆にストッパー21を容器30から取り外す際には、同様につまみ24を指でつまみ、キャップ33の円筒部33aからストッパーを引き抜けば良い。
【００１８】
本ストッパー21においては、使用者がつまみ24を指でつまむと、嵌合部22，23が着脱を容易にするような変形をし、指を離すと元の状態に復帰するような構成となっている。そのため、容器への確実な固定を維持すると共に、着脱が、例えば使用者が濡れた指で操作するような場合でも、容易に行うことができるようになる。
【００１９】
以上説明したように、本発明によるポンプ付き容器用ストッパーは、弾性変形し易い構造であるため、キャップへの確実な固定ができると共に、着脱も容易である。
【図面の簡単な説明】
【図１】  従来のストッパーを示す図である。
【図２】  図１のストッパーをポンプ付き容器に装着した状態を示す図である。
【図３】  本発明によるストッパーを示す図である。
【図４】  図３のストッパーをポンプ付き容器に装着した状態を示す図である。
【符号の説明】
１，21  ストッパー
２，22，23  嵌合部
３，24  つまみ
10，30  ポンプ付き容器
11，31  容器本体
12，32  ポンプ付きキャップ
13，33  キャップ部
14，34  ポンプ部
15，35  口金部
16，36  ねじ山
17，37  シリンダ部
18，38  ピストン頭部
19，39  吐出管
【図１】
0003787049.tif 000002
【図２】
0003787049.tif 000003
【図３】
0003787049.tif 000004
【図４】
0003787049.tif 000005